(57)【要約】      （修正有）【課題】外側や危険な窓ガラスなどを、安全に拭き取る為に、拭き取り器の平面に永久磁石を設け、それを囲んで拭き取り部材を備えた同様の2組で構成され、外側用には落下防止アームを設け、同時に内側と外側が拭き取れる窓ガラス同時両面拭き取り器を提供する。【解決手段】平面形状１aにおいて、当接させる平面に永久磁石2aを設け、保護具３aで囲み、拭き取り部材４aでそれを囲んで平面に備え、別の箇所に把手状の物５を設けたことを特徴とする内側拭き取り器７と、窓ガラス面に当接させる平面形状１bにおいて、当接させる平面に永久磁石２bを設け、保護具３bで囲み、拭き取り部材４bでそれを囲んで平面に備え、別の箇所に落下防止アーム６の一端を取り付け、落下防止アームのもう一端には窓枠への取り付け具９を設けたことを特徴とする外側拭き取り器８とで構成されたことを特徴とする。【選択図】図１
2015159857.tif 000002
【特許請求の範囲】
【請求項１】
窓ガラス面に当接させる平面形状(１a)において、当接させる平面に永久磁石(2a)を設け、保護具(３a)で囲み、拭き取り部材(４a)でそれを囲んで平面に備え、別の箇所に把手状の物(５)を設けたことを特徴とする内側拭き取り器(７)と、窓ガラス面に当接させる平面形状(１b)において、当接させる平面に永久磁石(２b)を設け、保護具(３b)で囲み、拭き取り部材(４b)でそれを囲んで平面に備え、別の箇所に落下防止アーム(６)の一端を取り付け、落下防止アームのもう一端には窓枠への取り付け具(９)を設けたことを特徴とする外側拭き取り器(８)とで構成されたことを特徴とする窓ガラス同時両面拭き取り器。                                                                                                                                                                                                                                                                                                                                                                                                                                          
【発明の詳細な説明】
【技術分野】
【０００１】
本発明は、実開平６−５５５４２,及び特開平７−２３８７９を最良と思われる形態に改良したものである。
本発明は、上記発明物に、永久磁石は拭き取り面に設け、外側拭き取り器には落下防止の為のアームを設けた窓ガラス同時両面拭き取り器に関するものである。
【背景技術】
【０００２】
従来の窓ガラス拭きは、スポンジ等拭き取り部材だけか、持ちやすいようにできた型枠や手持ち部分に付けられた拭き取り器具等があった。
又、実開平６−５５５４２号公報及び特開平７−２３８７９号公報の発明では、以下に説明する事柄等が技術的欠点と思われ、実用化された物を見かけない。
【先行技術文献】
【特許文献】
【０００３】
本発明に関連する公知技術として次の特許文献１及び特許文献２を挙げることができる。
【特許文献１】実開平０６−０５５５４２号公報
【特許文献２】特開平７−２３８７９号公報
【発明の概要】
【発明が解決しようとする課題】
【０００４】
これは、次のような欠点があった。
従来の窓ガラス拭きは、拭き取り部材を直接手に持つか届かない所の為に、把手などをつけてガラスに押し付けながら拭き取る手段であった。
その為、外側などの手を伸ばしても届かない所の拭き取りには大変困っていた。
拭き取り部材を手で押し付けながら拭き取る為に、拭き取り範囲が広い場合などは、腕や腰、背中に負担がかかり疲れてしまう欠点があった。
実開平０６−０５５５４２号公報の技術では、マグネット板に布を袋状にかぶせる手段
の為、拭き取る時にスライドさせたとしても、袋状の布がずれて拭き取りにくい。
マグネット板に袋状の布をかぶせる為、外れないよう開口部を締め付けておく必要があ
り、別の布と交換時は手間がかかる。
落下防止の紐は長い目にしておく必要があり、上下左右に拭き取りをすれば、窓の片や
自分の腕、足等に引っかかり邪魔になる。
特開平７−２３８７９号公報の技術では、窓ガラス２における内面２aの裏側に設けら
れた永久磁石７aは、窓ガラス２と内面２aとの間に当接させる平坦な拭き取り部材３aが圧接され、外面２bの裏側に設けられた永久磁石７bは、窓ガラス２と外面２bとの間に当接させる平坦な拭き取り部材３bが圧接されている。
その為、最近の一般住宅等の窓ガラスは2枚ガラスが主流となっている中で、永久磁石７aと永久磁石７bとの間には、窓ガラス２において内面と外面両側の拭き取り部材の厚さが加わり、永久磁石７aと永久磁石７bで、かなり強力な吸引力が必要である。    
外面拭き取り具５には、落下防止の手段が設けられていない為、窓ガラスから外れた場
合は落下して危険である。
本発明は、以上のような欠点をなくす為になされたものである。
【課題を解決する為の手段】
【０００５】
本発明は、窓ガラス面に当接させる平面形状(１a)において、当接させる平面に永久磁石(2a)を設け、保護具(３a)で囲み、拭き取り部材(４a)でそれを囲んで平面に備え、別の箇所に把手状の物(５)を設けたことを特徴とする内側拭き取り器(７)と、窓ガラス面に当接させる平面形状(１b)において、当接させる平面に永久磁石(２b)を設け、保護具(３b)で囲み、拭き取り部材(４b)でそれを囲んで平面に備え、別の箇所に落下防止アーム(６)の一端を取り付け、落下防止アームのもう一端には窓枠への取り付け具(９)を設けたことを特徴とする外側拭き取り器(８)とで構成された窓ガラス同時両面拭き取り器で、窓ガラスにおいて内面及び外面に対向させ強い磁力で引き合う事により密接保持して連動自在に支持する拭き取り具連動手段とを兼ね備えたものである。
【発明の効果】
【０００６】
本発明のガラス同時両面拭き取り器は、手が届かない外側の窓ガラスやリビングの大型窓の外側や上部等、今まで拭き取り作業が難しかった部分が、簡単に内側と同時に行うことが出来る。
操作は室内から行う為、２階建てや高層マンション等でも安全に行うことが出来る。
外側拭き取り器と、内側拭き取り器が磁力でガラスを挟んで密接している為、拭き取りには押し付けて拭く力が必要なく操作出来、身体に負担がかからない。
軽い操作で拭き取りが出来る。
窓を閉めて室内から操作を行える為、暑い日や寒い日でもほとんど外気に触れずに行うことが出来る。
外側拭き取り器がガラス面から外れても、落下する事もなく安心して操作が出来る。
【図面の簡単な説明】
【０００７】
【図１】本発明の全体を示した斜視図である。
【図２】本発明の使用状態を示した側面図である。
【図３】本発明の特徴を示した側面図である。
【図４】本発明の特徴を示した分解図である。
【図５】本発明の特徴を示した分解図である。
【図６】本発明の使用状態を示した正面図である。
【図７】本発明の使用状態を示した正面図である。
【図８】本発明の実施例を示した側面図である。
【発明を実施するための形態】
【０００８】
本発明を実施するための形態について説明する。
平面体(１a)の、窓ガラスに当接させる平面に永久磁石(２a)を設け、プラスチック等で外れないよう枠やカバー(３a)をして保護をする。平坦なスポンジ等の拭き取り部材(４a)を枠やカバー(３a)より小型に切り抜く。それを囲む状態で平面に対し水平にはめ込むことで、スポンジ等の拭き取り部材(４a)は、固定され安定する(図４)。平面体(１a)の、別の部分に把手(５)を設ける。これが内側拭き取り器(７)である。
同様に平面体(１b)の、窓ガラスに当接させる平面に永久磁石(２b)を設け、プラスチック等で外れないよう枠やカバー(３b)をして保護をする。平坦なスポンジ等の拭き取り部材(４b)を枠やカバー(３b)より小型に切り抜く。それを囲む状態で平面に対し水平にはめ込むことで、スポンジ等の拭き取り部材(４b)は、固定され安定する(図４)。平面体(１b)の、別の部分に落下防止アームの一端を固定せず、アームが回転して自在に角度が変わるよう、留め具等は強く締め付けずに余裕を持たせて取り付ける。もう一端に窓枠への取り付け具(９)を、同様に固定せず、アームが回転して自在に角度が変わるよう、留め具等は強く締め付けずに余裕を持たせて取り付ける。その落下防止アームとして折りたたみ式アーム(６)を設ける。これで外側拭き取り器がガラス面を回転と移動が自在に行えるようになる。これが外側拭き取り器(８)であり、側面図で示したのが(図３)である。
又、ガラスに当接させる平面体に設ける永久磁石は、外側拭き取り器と内側拭き取り器がガラスを挟んで引き合うように、ガラス面に(２a)がN極を、(２b)がS極を、又は、（２a)がS極を、(２b)がN極を向くように設ける。
スポンジ等の拭き取り部材の厚さはガラス面の汚れを取る為に、保護具よりも厚くして強い磁力で圧接させれば良い(図２)。又、拭き取り器に設ける磁石の強さにより、スポンジ等の拭き取り部材の厚さは、任意に設定すると良い。
本発明は、以上のような構造である。
本発明の使用方法について説明する。
スポンジ等の拭き取り部材を水やお湯ガラス洗剤等でしぼり、乾拭きの場合はそのまま内側、外側共に拭き取り器にはめ込む(図５)。
窓枠に外側拭き取り器の取り付け具を、ガラスの外側に拭き取り器がセットされるように取り付ける。
ガラスを挟んで内側に、内側拭き取り器の磁石の位置を外側拭き取り器の磁石の位置と合わせセットすれば、ガラスを挟んだ状態で保持出来る(図２)。
内側拭き取り器を上下左右に動かせば、外側拭き取り器も同じ動きになり拭き取りを行うことが出来る(図６)。
万一、外側拭き取り器が内側拭き取り器との磁力から外れても落下防止アームにとどまり、落下しなくて安全である。  
スポンジ等の拭き取り部材は、便利なように裏表の両面を使用することが出来る。汚れれば外して裏を向けて簡単にはめ込んで再度使用すれば良い。
又、スポンジ等の拭き取り部材は、手元に複数準備しておくと便利である。大きい窓であれば、多く用意すれば良い。
本発明の他の実施例として以下をあげられる。
本発明で使用する永久磁石は、現在の住宅に多く使われている2枚ガラス(ペアガラス)に対応させる為、強力な磁力を保持したネオジム磁石を使用すると良い。
又、1枚ガラス用として、他の種類の永久磁石を設けることも出来る。
磁石は、長方形等でも良く、円形等、形にこだわらなくても良い(図５)。
磁石は、内側拭き取り器と外側拭き取り器とが回転ずれしなければ、数はいくつでも良い(図５)。
磁石を設ける位置は、特定しなくても任意の位置で良い。内側拭き取り器の把手(５)は、拭き取りがスムーズに行えるよう、平面に対して角度が変わるようにして設けても良い(図８)。
落下防止アームは、棒状の伸縮式でも良い。
平面体に、磁石を設けて保護具なしで、そのまま拭き取り部材をはめこんでも拭き取ることが出来る。
外側拭き取り器と落下防止アーム、外側拭き取り器と落下防止アーム取り付け具、及び、落下防止アームと窓枠への取り付け具の取り付けは、方向回転が自在にできる形態であれば手段は特定しなくても良い。
内側拭き取り器は、把手状の物を設けなくても拭き取りを行うことが出来る。
【符号の説明】
【０００９】
１  平面体
２  永久磁石                
３  保護具
４  拭き取り部材
５  把手状の物
６  落下防止アーム
７  内側拭き取り器
８  外側拭き取り器        
９  窓枠への取り付け具
【図１】
2015159857.tif 000003
【図２】
2015159857.tif 000004
【図３】
2015159857.tif 000005
【図４】
2015159857.tif 000006
【図５】
2015159857.tif 000007
【図６】
2015159857.tif 000008
【図７】
2015159857.tif 000009
【図８】
2015159857.tif 000010